【手続補正書】
【提出日】令和2年6月18日(2020.6.18)
【手続補正１】
【補正対象書類名】特許請求の範囲
【補正対象項目名】全文
【補正方法】変更
【補正の内容】
【特許請求の範囲】
【請求項１】
包装体（１５’）を製作するための複合材料製の包装スリーブ（１０’）であって、
−  前面側部分面域（１７Ａ）と裏面側部分面域（１７Ｂ）とから形成されたスリーブ面（１７）と、
−  前記裏面側部分面域（１７Ｂ）に配置された、全周の包装スリーブ（１０’）を形成するために前記複合材料の２つの端縁をつなぐ長手方向シーム（１１）と、
−  前記スリーブ面（１７）を通る２本の疑似折り目線（１８）と、
を備え、
−  前記包装スリーブ（１０’）は前記２本の疑似折り目線（１８）に沿って折り畳まれ、
−  底面（８）およびゲーブル面（９）が前記包装スリーブ（１０’）の両側に配置され、前記底面（８）および前記ゲーブル面（９）は何れの場合も２つの矩形面（８、１２Ｂ）とゲーブル面（９、１２Ｇ）と６つの三角形面（１３）とを備える、
包装スリーブ（１０’）において、
前記包装スリーブ（１０’）は、前記前面側部分面域（１７Ａ）の領域に更なる折り目線を前記２本の疑似折り目線（１８）の間に有さないことを特徴とする、包装スリーブ（１０’）。
【請求項２】
包装体（１５”）を製作するための複合材料製の包装スリーブ（１０”）であって、
−  前面側部分面域（１７Ａ’）と裏面側部分面域（１７Ｂ’）とから形成されたスリーブ面（１７’）と、
−  前記裏面側部分面域（１７Ｂ’）に配置された、全周の包装スリーブ（１０”）を形成するために前記複合材料の２つの端縁をつなぐ長手方向シーム（１１）と、
−  前記スリーブ面（１７’）を通る２本の疑似折り目線（１８）と、
を備え、
−  前記包装スリーブ（１０”）は前記２本の疑似折り目線（１８）に沿って折り畳まれ、
−  底面（８）およびゲーブル面（９）が前記包装スリーブ（１０”）の両側に配置され、前記底面（８）および前記ゲーブル面（９）は何れの場合も２つの矩形面（８、１２Ｂ）とゲーブル面（９，１２Ｇ）と６つの三角形面（１３）とを備える、
包装スリーブ（１０”）において、
前記包装スリーブ（１０”）は、前記前面側部分面域（１７Ａ’）の領域に連続する折り目線を前記２本の疑似折り目線（１８）の間に有さず、前記包装スリーブ（１０”）の裏面側の前記ゲーブル面（９）は、前記包装スリーブ（１０”）の前面側の前記ゲーブル面（１２Ｇ）の長さ（Ｌ９ｍａｘ）より短い長さ（Ｌ９ｍｉｎ）を有することを特徴とする、包装スリーブ（１０”）。
【請求項３】
少なくとも一部の区間において中断および／または細分割された折り目線（２”、２０、２０’）が前記裏面側部分面域（１７Ｂ’）に設けられることを特徴とする、請求項２に記載の包装スリーブ（１０”）。
【請求項４】
前記裏面側部分面域（１７Ｂ’）に配置される前記折り目線は折り目線断端（２”）として形成され、前記折り目線断端（２”）は前記包装スリーブ（１０”）の底領域に、および／またはゲーブル領域に、配置可能であることを特徴とする、請求項３に記載の包装スリーブ（１０”）。
【請求項５】
前記裏面側部分面域（１７Ｂ’）に配置される前記折り目線は、好ましくは互いにほぼ平行に延びる、細分割された折り目線（２０、２０’）として形成されることを特徴とする、請求項３または４に記載の包装スリーブ（１０”）。
【請求項６】
前記包装スリーブ（１０’、１０”）は前記２本の疑似折り目線（１８）に沿って何れの場合も約１８０°の角度で扁平に折り畳まれることを特徴とする、請求項１または請求項２〜５の何れか一項に記載の包装スリーブ（１０’、１０”）。
【請求項７】
前記疑似折り目線（１８）は前記底面（８）の３つの隣接する三角形面（１３）の接点（ＳＢ）と前記ゲーブル面（９）の３つの隣接する三角形面（１３）の接点（ＳＧ）とを通ることを特徴とする、請求項１または２に記載の包装スリーブ（１０’、１０”）。
【請求項８】
前記包装スリーブ（１０’）の裏面側の前記ゲーブル面（９）は、前記包装スリーブ（１０’）の前面側の前記ゲーブル面（１２Ｇ）の長さ（Ｌ９ｍａｘ）より短い長さ（Ｌ９ｍｉｎ）を有することを特徴とする、請求項１に記載の包装スリーブ（１０’）。
【請求項９】
前記包装スリーブ（１０’、１０”）の前面側は、少なくともいくつかの区間にわたって凸状に湾曲した前縁（１９）によって前記スリーブ面（１７Ａ）に界接する前面側ゲーブル面（１２Ｇ）を有することを特徴とする、請求項１〜８の何れか一項に記載の包装スリーブ（１０’、１０”）。
【請求項１０】
前記前面側ゲーブル面（１２Ｇ）は凸状に湾曲したエンボス線（１９’）を上縁領域に有することを特徴とする、請求項９に記載の包装スリーブ（１０’、１０”）。
【請求項１１】
前記前面側ゲーブル面（１２Ｇ）は好ましくは中心に配置された脆弱ゾーン（Ｓ）を有することを特徴とする、請求項１〜１０の何れか一項に記載の包装スリーブ（１０’、１０”）。
【請求項１２】
前記疑似折り目線（１８）は前記包装スリーブ（１０’、１０”）の外面に筋付けされることを特徴とする、請求項１〜１１の何れか一項に記載の包装スリーブ（１０’、１０”）。
【請求項１３】
前記折り目線（２’、２”、２０、２０’）は前記包装スリーブ（１０’、１０”）の内面に筋付けされることを特徴とする、請求項１〜１２の何れか一項に記載の包装スリーブ（１０’、１０”）。
【請求項１４】
複合材料製の包装体（１５’、１５”）であって、
−  前記包装体（１５’、１５”）は、請求項１〜１３の何れか一項に記載の包装スリーブ（１０’、１０”）から製作され、
−  前記包装体（１５’、１５”）は、底面（８）の領域およびゲーブル面（９）の領域において閉鎖される、
包装体（１５’、１５”）において、
前記包装体（１５’、１５”）はスリーブ面（１７）の領域に端縁を有さない、または連続した端縁を有さない、ことを特徴とする包装体（１５’、１５”）。
【請求項１５】
複合材料製の包装体（１５’、１５”）であって、
−  前記包装体（１５’、１５”）は、請求項１〜１３の何れか一項に記載の包装スリーブ（１０’、１０”）から製作され、
−  前記包装体（１５’、１５”）は、底面（８）の領域およびゲーブル面（９）の領域において閉鎖される、
包装体（１５’、１５”）において、
前記包装体（１５’、１５”）は前面側スリーブ面（１７Ａ）の領域に端縁を有さない、または連続した端縁を有さない、ことを特徴とする包装体（１５’、１５”）。
【請求項１６】
少なくともいくつかの区間にわたって中断および／または細分割された折り目線（２”、２０、２０’）が裏面側部分面域（１７Ｂ’）に設けられることを特徴とする、請求項１４または１５に記載の包装体（１５’、１５”）。
【請求項１７】
前記疑似折り目線（１８）に隣接する前記スリーブ面（１７）の前記部分領域（１７Ａ、１７Ｂ）は互いに対して何れの場合も１６０°と２００°の間、特に１７０°と１９０°の間、の角度範囲内に配置されることを特徴とする、請求項１４〜１６の何れか一項に記載の包装体（１５’、１５”）。
【請求項１８】
前記包装体（１５’、１５”）の下方領域において前記底面（８）に付着される耳（１４）によって特徴付けられる、請求項１４〜１７の何れか一項に記載の包装体（１５’、１５”）。
【請求項１９】
前記包装体（１５’、１５”）の上方領域において前記スリーブ面（１７）に付着される耳（１４）によって特徴付けられる、請求項１４〜１８の何れか一項に記載の包装体（１５’、１５”）。
【請求項２０】
複合材料製の包装スリーブ（１０’、１０”）から包装体（１５’、１５”）を製作する方法であって、
（ａ）請求項１〜１４の何れか一項に記載の包装スリーブ（１０’、１０”）を供給するステップと、
（ｂ）前記包装スリーブ（１０’、１０”）のスリーブ面（１７）を両疑似折り目線（１８）に沿って折り返すステップと、
を含む方法。
【請求項２１】
前記疑似折り目線（１８）に隣接する前記スリーブ面（１７）の部分領域（１７Ａ、１７Ｂ）は、再び折り返された後、何れの場合も互いに対して１６０°と２００°の間、特に１７０°と１９０°の間、の角度範囲内にあることを特徴とする、請求項２０に記載の方法。